(57)【要約】【目的】  ユーザーのアバターが、或る仮想店舗の商品を試着したままの状態で、前記仮想空間中の複数の仮想店舗を渡り歩きながら、或る仮想店舗の商品と他の仮想店舗の商品とをその色合いや形状などについてユーザーが直接に比較検討することができるアバターの商品試着機能を備えた仮想空間回遊システムを提供する。【構成】  試着前アバター用データを生成・送信する手段と、仮想空間内で位置を移動した後の移動後試着前アバター用データを生成・送信する手段と、商品に関する購入検討情報を受信するための購入検討情報受信手段と、前記購入検討情報で指定された商品を前記アバターが試着している試着アバター用データを生成・送信する手段と、前記試着アバターが試着したままの状態で、前記仮想店舗の外の他の場所へ移動した状態の店舗外移動後試着アバター用データを生成・送信する手段とを備たものである。【選択図】    図１
2008242775.tif 000002
【特許請求の範囲】
【請求項１】
ユーザー側の通信端末との間でネットワークを介して必要なデータを送受信することにより、複数の仮想店舗を含みユーザーのアバターが複数の仮想店舗を渡り歩くようにその中を自由に回遊できる仮想空間を、ユーザー側に提供するための仮想空間回遊システムであって、
ユーザー側からの要求に基づいて、仮想店舗が販売・提供する商品を未だ試着していない試着前アバターの３次元画像を表示するための試着前アバター用データ及び前記アバターの周辺の仮想空間の３次元画像を表示するためのデータを生成しユーザー側に送信するための試着前アバター用データ等生成送信手段と、
ユーザー側から、前記試着前アバターの前記仮想空間内での位置の移動に関する位置移動情報を受信したとき、前記位置移動情報に基づいて、前記位置移動情報に対応する位置に移動したときの移動後の試着前アバターの３次元画像を表示するための移動後試着前アバター用データ及び前記アバターの周辺の仮想空間の３次元画像を表示するためのデータを生成しユーザー側に送信するための移動後試着前アバター用データ等生成送信手段と、
前記仮想空間の中の或る一つの仮想店舗がユーザーの身体に装着又は近接させて使用する商品を販売・提供しており、且つ、その仮想店舗の内部又は店頭にユーザーのアバターが存在しているとき、ユーザー側からの前記商品に関する購入検討情報を受信するための購入検討情報受信手段と、
ユーザー側からの前記購入検討情報を受信したとき、前記アバター画像と前記商品画像とに基づいて、前記アバターが前記商品を試着している状態を示す試着アバターの３次元画像を表示するための試着アバター用データ及び前記アバターの周辺の仮想空間の３次元画像を表示するためのデータを生成しユーザー側に送信するための試着アバター用データ等生成送信手段と、
ユーザー側から、前記試着アバターが試着している試着商品を提供した仮想店舗の内部での位置の移動に関する位置移動情報を受信したとき、前記位置移動情報に基づいて、前記位置移動情報に対応する前記仮想店舗の内部での移動後の位置における前記試着アバターの３次元画像を表示するための店舗内移動後試着アバター用データ及び前記アバターの周辺の仮想空間の３次元画像を表示するためのデータを生成しユーザー側に送信するための店舗内移動後試着アバター用データ等生成送信手段と、
前記試着アバターの現在の最新の試着状態に関する情報であって、各ユーザー又はそのアバター毎に、前記アバターが現在試着している一つ又は複数の商品に関する商品ＩＤなどの情報と前記試着商品を提供した仮想店舗に関する仮想店舗ＩＤなどの情報とを互いに対応付けて記憶しておくための試着状態記憶手段と、
ユーザー側から、前記試着アバターが試着している試着商品を提供した仮想店舗の内部又は店頭から前記仮想店舗の外の他の場所（他の仮想店舗を含む）への位置の移動に関する位置移動情報を受信したとき、前記試着状態記憶手段からの情報と前記位置移動情報とに基づいて、前記位置移動情報に対応する前記仮想店舗の外の他の場所への移動後の位置における前記試着アバターの３次元画像を表示するための店舗外移動後試着アバター用データ及び前記アバターの周辺の仮想空間の３次元画像を表示するためのデータを生成しユーザー側に送信するための店舗外移動後試着アバター用データ等生成送信手段と、
を備え、ユーザーが、自己のアバターに、前記商品を試着した状態のままで且つ前記商品についての購入手続を行わないままで、前記試着商品を提供してくれた仮想店舗の内部又は店頭から前記仮想店舗の外の他の場所に移動して他の複数の仮想店舗の中に出入りさせながら、複数の仮想店舗の中のどの仮想店舗の商品が自分に適しているかを比較・検討できるようにした、ことを特徴とする、アバターの商品試着機能を備えた仮想空間回遊システム。
【請求項２】
請求項１において、
前記の既に或る商品を試着している試着アバターが、前記試着商品を提供してくれた仮想店舗とは異なる他の仮想店舗の内部又は店頭に存在しているとき、その他の仮想店舗により販売・提供されているユーザーの身体に装着又は近接させて使用する商品について、ユーザーからの購入検討情報を受信したとき、その購入検討情報に対応する新たな商品が、既に試着している商品と同種の商品かどうかを判定しその判定結果を示す信号を外部に送信するための判定手段と、
前記判定手段からの信号に基づいて、前記購入検討情報に対応する新たな商品が既に試着している商品と同種の商品である場合は、前記の既に試着している商品に代えて前記新たな商品を新たに試着した状態を示す切替試着アバターの３次元画像を表示するための切替試着アバター用データを生成しユーザー側に送信するための切替試着アバター用データ生成送信手段と、
前記判定手段からの信号に基づいて、前記購入検討情報に対応する商品が既に試着している商品と同種の商品ではない場合は、前記の既に試着している商品に加えて前記新たな商品を試着した状態を示す追加試着アバターの３次元画像を表示するための追加試着アバター用データを生成しユーザー側に送信するための追加試着アバター用データ生成送信手段と、
を備え、（ａ）前記の或る仮想店舗から提供された或る種類の商品を試着した試着アバターが、前記試着商品を提供してくれた仮想店舗とは異なる他の仮想店舗で販売・提供されている前記試着商品と同じ種類の商品を、前記既に試着している同じ種類の商品に代えて試着することを可能にすることにより、ユーザーが、前記同じ種類の商品について、複数の仮想店舗の中のどの仮想店舗の商品が自分に適しているかを、前記試着アバターに複数の仮想店舗を渡り歩かせてそれぞれの仮想店舗で試着を繰り返させながら、比較・検討することができるようにし、且つ（ｂ）前記の或る仮想店舗から提供された或る種類の商品を試着した試着アバターが、前記試着商品を提供してくれた仮想店舗とは異なる他の仮想店舗で販売・提供されている他の種類の商品を、前記既に試着している或る種類の商品に追加して試着することを可能にすることにより、ユーザーが、前記互いに異なる複数の種類の商品について、複数の仮想店舗の中のどの仮想店舗の商品が自分に適しているかを、前記試着アバターに複数の仮想店舗を渡り歩かせてそれぞれの仮想店舗で試着を繰り返させながら、複数の仮想店舗でそれぞれ提供している複数の種類の商品の相互のコーディネートをも検討しつつ比較・検討することができるようにした、ことを特徴とする、アバターの商品試着機能を備えた仮想空間回遊システム。
【請求項３】
請求項１又は２において、
前記試着アバターが前記仮想空間内を回遊している間に、ユーザー側からの前記試着している商品の全部又は一部に関する購入希望情報を受信したとき、前記購入希望情報に対応する一つ又は複数の商品について、ユーザーとの間で購入及び決済の手続を行うための購入決済手段と、
前記試着アバターが前記仮想空間内を回遊している間に、ユーザー側からの前記試着している商品の全部又は一部に関する購入検討取消情報を受信したとき、前記購入検討取消情報に対応する一つ又は複数の商品について、ユーザーによる購入検討を取り消す手続を行うための購入検討取消手段と、
前記購入検討取消情報又は前記購入検討取消手段からの信号に基づいて、前記試着アバターの画像から前記購入検討を取消した一つ又は複数の商品の画像を除去した後の試着除去後アバターの３次元画像を表示するための試着除去後アバター用データを生成しユーザー側に送信するための試着除去後アバター用データ生成送信手段と、
を備えたことを特徴とするアバターの商品試着機能を備えた仮想空間回遊システム。
【請求項４】
サーバーとの間でネットワークを介して必要なデータを送受信することにより、複数の仮想店舗を含みユーザーのアバターが複数の仮想店舗を渡り歩くようにその中を自由に回遊できる仮想空間を、ユーザー側に表示するための仮想空間回遊システムであって、
仮想店舗が販売・提供する商品を未だ試着していない試着前アバターの３次元画像を表示するための試着前アバター用データ及び前記アバターの周辺の仮想空間の３次元画像を表示するためのデータを、サーバー側から受信するための試着前アバター用データ等受信手段と、
前記試着前アバターの前記仮想空間内での位置の移動に関する位置移動情報を、サーバー側に送信するための位置移動情報送信手段と、
前記ユーザー側からの位置移動情報に対応してサーバー側で生成されるデータであって、前記位置移動情報に対応する位置に移動したときの移動後の試着前アバターの３次元画像を表示するための移動後試着前アバター用データ及び前記アバターの周辺の仮想空間の３次元画像を表示するためのデータを、サーバー側から受信するための移動後試着前アバター用データ等受信手段と、
前記仮想空間の中の或る一つの仮想店舗がユーザーの身体に装着又は近接させて使用する商品を販売・提供しており、且つ、その仮想店舗の内部又は店頭にユーザーのアバターが存在しているとき、前記商品に関する購入検討情報を、サーバー側に送信するための購入検討情報送信手段と、
前記ユーザー側からの購入検討情報に対応してサーバー側で生成されるデータであって、前記アバターが前記商品を試着している状態を示す試着アバターの３次元画像を表示するための試着アバター用データ及び前記アバターの周辺の仮想空間の３次元画像を表示するためのデータを、サーバー側から受信するための試着アバター用データ等受信手段と、
ユーザーからの前記試着アバターの前記試着商品を提供した仮想店舗の内部での位置の移動に関する位置移動情報に対応してサーバー側で生成されるデータであって、前記位置移動情報に対応する前記仮想店舗の内部での移動後の位置における前記試着アバターの３次元画像を表示するための店舗内移動後試着アバター用データ及び前記アバターの周辺の仮想空間の３次元画像を表示するためのデータを、サーバー側から受信するための店舗内移動後試着アバター用データ等受信手段と、
ユーザー側からの前記試着アバターの前記試着商品を提供した仮想店舗の内部又は店頭から前記仮想店舗の外の他の場所（他の仮想店舗を含む）への位置の移動に関する位置移動情報に対応して、サーバー側において、前記試着アバターの現在の最新の試着状態に関する情報であって各ユーザー又はそのアバター毎に前記アバターが現在試着している一つ又は複数の商品に関する商品ＩＤなどの情報と前記試着商品を提供した仮想店舗に関する仮想店舗ＩＤなどの情報とを互いに対応付けて記憶しておくための試着状態記憶手段からの情報と前記位置移動情報とに基づいて生成されるデータであって、前記位置移動情報に対応する前記仮想店舗の外の他の場所への移動後の位置における前記試着アバターの３次元画像を表示するための店舗外移動後試着アバター用データ及び前記アバターの周辺の仮想空間の３次元画像を表示するためのデータを、サーバー側から受信するための店舗外移動後試着アバター用データ等受信手段と、
を備え、ユーザーが、自己のアバターに、前記商品を試着した状態のままで且つ前記商品についての購入手続を行わないままで、前記仮想店舗の内部又は店頭から前記仮想店舗の外の他の場所に移動して他の複数の仮想店舗の中に出入りさせながら、複数の仮想店舗の中のどの仮想店舗の商品が自分に適しているかを比較・検討できるようにした、ことを特徴とする、アバターの商品試着機能を備えた仮想空間回遊システム。
【請求項５】
請求項４において、
前記の既に或る商品を試着している試着アバターが、前記試着商品を提供してくれた仮想店舗とは異なる他の仮想店舗の内部又は店頭に存在しているとき、その他の仮想店舗により販売・提供されているユーザーの身体に装着又は近接させて使用する商品について、ユーザーからの購入検討情報をサーバー側が受信したとき、サーバー側において、その購入検討情報に対応する新たな商品が、既に試着している商品と同種の商品かどうかを判定し、その判定結果に基づいて、前記購入検討情報に対応する新たな商品が既に試着している商品と同種の商品である場合に生成されるデータであって、前記の既に試着している商品に代えて前記新たな商品を新たに試着した状態を示す切替試着アバターの３次元画像を表示するための切替試着アバター用データを、サーバー側から受信するための切替試着アバター用データ受信手段と、
サーバー側において、前記判定結果に基づいて、前記購入検討情報に対応する商品が既に試着している商品と同種の商品ではない場合に生成されるデータであって、前記の既に試着している商品に加えて前記新たな商品を試着した状態を示す追加試着アバターの３次元画像を表示するための追加試着アバター用データを、サーバー側から受信するための追加試着アバター用データ生成受信手段と、
を備え、（ａ）前記の或る仮想店舗から提供された或る種類の商品を試着した試着アバターが、前記試着商品を提供してくれた仮想店舗とは異なる他の仮想店舗で販売・提供されている前記試着商品と同じ種類の商品を、前記既に試着している同じ種類の商品に代えて試着することを可能にすることにより、ユーザーが、前記同じ種類の商品について、複数の仮想店舗の中のどの仮想店舗の商品が自分に適しているかを、前記試着アバターに複数の仮想店舗を渡り歩かせてそれぞれの仮想店舗で試着を繰り返させながら、比較・検討できるようにすると共に、（ｂ）前記の或る仮想店舗から提供された或る種類の商品を試着した試着アバターが、前記試着商品を提供してくれた仮想店舗とは異なる他の仮想店舗で販売・提供されている他の種類の商品を、前記既に試着している或る種類の商品に追加して試着することを可能にすることにより、ユーザーが、前記互いに異なる複数の種類の商品について、複数の仮想店舗の中のどの仮想店舗の商品が自分に適しているかを、前記試着アバターに複数の仮想店舗を渡り歩かせてそれぞれの仮想店舗で試着を繰り返させながら、複数の仮想店舗でそれぞれ提供している複数の種類の商品の相互のコーディネートをも検討しつつ、比較・検討できるようにする、ことを特徴とする、アバターの商品試着機能を備えた仮想空間回遊システム。
【請求項６】
請求項４又は５において、
前記試着アバターが前記仮想空間内を回遊している間に、ユーザー側からの前記試着している商品の全部又は一部に関する購入希望情報に対応してサーバー側において生成される、前記購入希望情報に対応する一つ又は複数の商品についての購入及び決済に関する情報を、サーバー側から受信するための購入決済情報受信手段と、
前記試着アバターが前記仮想空間内を回遊している間に、ユーザー側からの前記試着している商品の全部又は一部に関する購入検討取消情報に対応してサーバー側において生成される、前記購入検討取消情報に対応する一つ又は複数の商品についての購入検討を取り消す手続を行ったことを示す情報を、サーバー側から受信するための購入検討取消情報受信手段と、
前記サーバー側での購入検討を取り消す手続において前記試着アバターの画像から前記購入検討を取消した一つ又は複数の商品の画像が除去されたとき、前記除去後の試着除去後アバターの３次元画像を表示するためにサーバー側において生成される試着除去後アバター用データを、サーバー側から受信するための試着除去後アバター用データ生成受信手段と、
を備えたことを特徴とするアバターの商品試着機能を備えた仮想空間回遊システム。
【発明の詳細な説明】
【技術分野】
【０００１】
本発明は、複数の仮想店舗を含みユーザーのアバターが複数の仮想店舗を渡り歩くようにその中を自由に回遊できる仮想空間を、ユーザー側に提供するための仮想空間回遊システムに関する。
【背景技術】
【０００２】
従来より、仮想の街並みをユーザーのアバター（分身）が自由に歩き回り、さらにその中のネット上のデパートなどで買い物を楽しむことができる仮想街並み構築方法が提案されている（例えば特許文献１参照）。
【０００３】
また、他方、従来より、ネット上の仮想店舗において、ユーザーに擬した画像の上に衣服を合成することにより仮想的に試着した状態を表示して、ユーザーの衣服の購入に際しての選択を支援するようにした仮想試着システムも提案されている（例えば特許文献２参照）。
【特許文献１】特開２００５−３１６５８６号公報
【特許文献２】特開平１１−２０３３４７号公報
【発明の開示】
【発明が解決しようとする課題】
【０００４】
しかしながら、前記特許文献１が提案している仮想街並み構築方法は、単に、仮想街並みの中をアバターが歩き回りながら買い物ができることをユーザーに提供するに過ぎない。また、前記特許文献２が提案している仮想試着システムは、単に、仮想店舗で販売している衣服の形や色柄がユーザーの体形などに適しているかどうかをユーザーが容易に判断できるようにするためのものに過ぎない。
【０００５】
すなわち、前記の引用文献１及び引用文献２で提案されている方法やシステムでは、ユーザーは、仮想空間中に複数の仮想店舗がある場合に、或る仮想店舗の商品と他の仮想店舗の商品とを、その色合いや形状などについて直接に比較検討するために、ユーザーのアバターに、或る仮想店舗の商品を試着したままの状態（しかも未だ購入手続を行っていない状態）で、前記仮想空間中の複数の仮想店舗を渡り歩かせることは、できない。
【０００６】
また、前記の引用文献１及び引用文献２で提案されている方法やシステムでは、ユーザーは、仮想空間中に複数の仮想店舗がある場合に、或る一つの種類の商品（ユーザーの身体に装着又は接触させて使用する商品）について複数の仮想店舗の中のどの仮想店舗の商品が自分に適しているかを的確に比較検討するために、ユーザーのアバターに、前記仮想空間中の複数の仮想店舗を渡り歩かせながら、複数の仮想店舗がそれぞれ販売・提供している前記或る一つの種類の商品について試着を繰り返えさせることは、できない。
【０００７】
また、前記の引用文献１及び引用文献２で提案されている方法やシステムでは、ユーザーは、仮想空間中に複数の仮想店舗がある場合に、或る複数の種類の商品（ユーザーの身体に装着又は接触させて使用する商品）について複数の仮想店舗がそれぞれ販売・提供している複数種類の商品の相互のコーディネートをも検討しつつ、複数の仮想店舗の中のどの仮想店舗の商品（複数種類の商品）が自分に適しているかを的確に比較検討するために、ユーザーのアバターに、前記仮想空間中の複数の仮想店舗を渡り歩かせながら、複数の仮想店舗がそれぞれ販売・提供している複数の種類の商品について試着を繰り返えさせることは、できない。
【０００８】
本発明はこのような従来技術の問題点に着目してなされたものであって、ユーザーが、仮想空間中に複数の仮想店舗がある場合に、ユーザーのアバターに、或る仮想店舗の商品を試着したままの状態で、前記仮想空間中の複数の仮想店舗を渡り歩からながら、或る仮想店舗の商品と他の仮想店舗の商品とをその色合いや形状などについて直接に比較検討することができる、アバターの商品試着機能を備えた仮想空間回遊システムを提供することを目的とする。
【０００９】
また、本発明は、ユーザーが、仮想空間中に複数の仮想店舗がある場合に、或る一つの種類の商品について、ユーザーのアバターに、前記仮想空間中の複数の仮想店舗を渡り歩かせながら、そして複数の仮想店舗がそれぞれ販売・提供している前記或る一つの種類の商品について試着を繰り返させながら、複数の仮想店舗の中のどの仮想店舗の商品が自分に適しているかを的確に比較検討することができる、アバターの商品試着機能を備えた仮想空間回遊システムを提供することを目的とする。
【００１０】
また、本発明は、ユーザーが、仮想空間中に複数の仮想店舗がある場合に、或る複数の種類の商品について、ユーザーのアバターに、前記仮想空間中の複数の仮想店舗を渡り歩かせながら、そして複数の仮想店舗がそれぞれ販売・提供している複数の種類の商品について試着を繰り返させながら、それらの複数の仮想店舗がそれぞれ販売・提供している複数種類の商品の相互のコーディネートをも検討しつつ、複数の仮想店舗の中のどの仮想店舗の商品（複数種類の商品）が自分に適しているかを的確に比較検討することができる、アバターの商品試着機能を備えた仮想空間回遊システムを提供することを目的とする。
【課題を解決するための手段】
【００１１】
以上のような課題を解決するための本発明によるアバターの商品試着機能を備えた仮想空間回遊システムは、ユーザー側の通信端末との間でネットワークを介して必要なデータを送受信することにより、複数の仮想店舗を含みユーザーのアバターが複数の仮想店舗を渡り歩くようにその中を自由に回遊できる仮想空間を、ユーザー側に提供するための仮想空間回遊システムであって、ユーザー側からの要求に基づいて、仮想店舗が販売・提供する商品を未だ試着していない試着前アバターの３次元画像を表示するための試着前アバター用データ及び前記アバターの周辺の仮想空間の３次元画像を表示するためのデータを生成しユーザー側に送信するための試着前アバター用データ等生成送信手段と、ユーザー側から、前記試着前アバターの前記仮想空間内での位置の移動に関する位置移動情報を受信したとき、前記位置移動情報に基づいて、前記位置移動情報に対応する位置に移動したときの移動後の試着前アバターの３次元画像を表示するための移動後試着前アバター用データ及び前記アバターの周辺の仮想空間の３次元画像を表示するためのデータを生成しユーザー側に送信するための移動後試着前アバター用データ等生成送信手段と、前記仮想空間の中の或る一つの仮想店舗がユーザーの身体に装着又は近接させて使用する商品を販売・提供しており、且つ、その仮想店舗の内部又は店頭にユーザーのアバターが存在しているとき、ユーザー側からの前記商品に関する購入検討情報を受信するための購入検討情報受信手段と、ユーザー側からの前記購入検討情報を受信したとき、前記アバターが前記商品を試着している状態を示す試着アバターの３次元画像を表示するための試着アバター用データ及び前記アバターの周辺の仮想空間の３次元画像を表示するためのデータを生成しユーザー側に送信するための試着アバター用データ等生成送信手段と、ユーザー側から、前記試着アバターが試着している試着商品を提供した仮想店舗の内部での位置の移動に関する位置移動情報を受信したとき、前記位置移動情報に基づいて、前記位置移動情報に対応する前記仮想店舗の内部での移動後の位置における前記試着アバターの３次元画像を表示するための店舗内移動後試着アバター用データ及び前記アバターの周辺の仮想空間の３次元画像を表示するためのデータを生成しユーザー側に送信するための店舗内移動後試着アバター用データ等生成送信手段と、前記試着アバターの現在の最新の試着状態に関する情報であって、各ユーザー又はそのアバター別に、前記アバターが現在試着している一つ又は複数の商品に関する商品ＩＤなどの情報を前記試着商品を提供した仮想店舗に関する仮想店舗ＩＤなどの情報と互いに対応付けて記憶しておくための試着状態記憶手段と、ユーザー側から、前記試着アバターが試着している試着商品を提供した仮想店舗の内部又は店頭から前記仮想店舗の外の他の場所（他の仮想店舗を含む）への位置の移動に関する位置移動情報を受信したとき、前記試着状態記憶手段からの情報と前記位置移動情報とに基づいて、前記位置移動情報に対応する前記仮想店舗の外の他の場所への移動後の位置における前記試着アバターの３次元画像を表示するための店舗外移動後試着アバター用データ及び前記アバターの周辺の仮想空間の３次元画像を表示するためのデータを生成しユーザー側に送信するための店舗外移動後試着アバター用データ等生成送信手段と、を備え、ユーザーが、自己のアバターに、前記商品を試着した状態のままで且つ前記商品についての購入手続を行わないままで、前記仮想店舗の内部又は店頭から前記仮想店舗の外の他の場所に移動して他の複数の仮想店舗の中に出入させながら、複数の仮想店舗の中のどの仮想店舗の商品が自分に適しているかを比較・検討することを可能にした、ことを特徴とするものである。
【００１２】
また、本発明によるアバターの商品試着機能を備えた仮想空間回遊システムにおいては、前記の既に或る商品を試着している試着アバターが、前記試着商品を提供してくれた仮想店舗とは異なる他の仮想店舗の内部又は店頭に存在しているとき、その他の仮想店舗により販売・提供されているユーザーの身体に装着又は近接させて使用する商品について、ユーザーからの購入検討情報を受信したとき、その購入検討情報に対応する新たな商品が、既に試着している商品と同種の商品かどうかを判定しその判定結果を示す信号を外部に送信するための判定手段と、前記判定手段からの信号に基づいて、前記購入検討情報に対応する新たな商品が既に試着している商品と同種の商品である場合は、前記の既に試着している商品に代えて前記新たな商品を新たに試着した状態を示す切替試着アバターの３次元画像を表示するための切替試着アバター用データを生成しユーザー側に送信するための切替試着アバター用データ生成送信手段と、前記判定手段からの信号に基づいて、前記購入検討情報に対応する商品が既に試着している商品と同種の商品ではない場合は、前記の既に試着している商品に加えて前記新たな商品を試着した状態を示す追加試着アバターの３次元画像を表示するための追加試着アバター用データを生成しユーザー側に送信するための追加試着アバター用データ生成送信手段と、を備え、（ａ）前記の或る仮想店舗から提供された或る種類の商品を試着した試着アバターが、前記試着商品を提供してくれた仮想店舗とは異なる他の仮想店舗で販売・提供されている前記試着商品と同じ種類の商品を、前記既に試着している同じ種類の商品に代えて試着することを可能にすることにより、ユーザーが、前記同じ種類の商品について、複数の仮想店舗の中のどの仮想店舗の商品が自分に適しているかを、前記試着アバターに複数の仮想店舗を渡り歩かせながらそしてそれぞれの仮想店舗で試着を繰り返させながら、比較・検討できるようにすると共に、（ｂ）前記の或る仮想店舗から提供された或る種類の商品を試着した試着アバターが、前記試着商品を提供してくれた仮想店舗とは異なる他の仮想店舗で販売・提供されている他の種類の商品を、前記既に試着している或る種類の商品に追加して試着することを可能にすることにより、ユーザーが、前記互いに異なる複数の種類の商品について、複数の仮想店舗の中のどの仮想店舗の商品が自分に適しているかを、前記試着アバターに複数の仮想店舗を渡り歩かせながらそしてそれぞれの仮想店舗で試着を繰り返させながら、複数の仮想店舗でそれぞれ提供している複数の種類の商品の相互のコーディネートをも検討しつつ、比較・検討できるようにする、ことが望ましい。
【００１３】
また、本発明によるアバターの商品試着機能を備えた仮想空間回遊システムにおいては、前記試着アバターが前記仮想空間内を回遊している間に、ユーザー側からの前記試着している商品の全部又は一部に関する購入希望情報を受信したとき、前記購入希望情報に対応する一つ又は複数の商品について、ユーザーとの間で購入及び決済の手続を行うための購入決済手段と、前記試着アバターが前記仮想空間内を回遊している間に、ユーザー側からの前記試着している商品の全部又は一部に関する購入検討取消情報を受信したとき、前記購入検討取消情報に対応する一つ又は複数の商品について、ユーザーによる購入検討を取り消す手続を行うための購入検討取消手段と、前記購入検討取消情報又は前記購入検討取消手段からの信号に基づいて、前記試着アバターの画像から前記購入検討を取消した一つ又は複数の商品の画像を除去した後の試着除去後アバターの３次元画像を表示するための試着除去後アバター用データを生成しユーザー側に送信するための試着除去後アバター用データ生成送信手段と、を備えたことが望ましい。
【００１４】
また、本発明によるアバターの商品試着機能を備えた仮想空間回遊システムは、サーバーとの間でネットワークを介して必要なデータを送受信することにより、複数の仮想店舗を含みユーザーのアバターが複数の仮想店舗を渡り歩くようにその中を自由に回遊できる仮想空間を、ユーザー側に表示するための仮想空間回遊システムであって、仮想店舗が販売・提供する商品を未だ試着していない試着前アバターの３次元画像を表示するための試着前アバター用データ及び前記アバターの周辺の仮想空間の３次元画像を表示するためのデータを、サーバー側から受信するための試着前アバター用データ等受信手段と、前記試着前アバターの前記仮想空間内での位置の移動に関する位置移動情報をサーバー側に送信するための位置移動情報送信手段と、前記位置移動情報に対応してサーバー側で生成されるデータであって、前記位置移動情報に対応する位置に移動したときの移動後の試着前アバターの３次元画像を表示するための移動後試着前アバター用データ及び前記アバターの周辺の仮想空間の３次元画像を表示するためのデータを、サーバー側から受信するための移動後試着前アバター用データ等受信手段と、前記仮想空間の中の或る一つの仮想店舗がユーザーの身体に装着又は近接させて使用する商品を販売・提供しており、且つ、その仮想店舗の内部又は店頭にユーザーのアバターが存在しているとき、前記商品に関する購入検討情報をサーバー側に送信するための購入検討情報送信手段と、前記購入検討情報に対応してサーバー側で生成されるデータであって、前記アバターが前記商品を試着している状態を示す試着アバターの３次元画像を表示するための試着アバター用データ及び前記アバターの周辺の仮想空間の３次元画像を表示するためのデータを、サーバー側から受信するための試着アバター用データ等受信手段と、ユーザーからサーバー側に送信した前記試着アバターの前記試着商品を提供した仮想店舗の内部での位置の移動に関する位置移動情報に対応してサーバー側で生成されるデータであって、前記位置移動情報に対応する前記仮想店舗の内部での移動後の位置における前記試着アバターの３次元画像を表示するための店舗内移動後試着アバター用データ及び前記アバターの周辺の仮想空間の３次元画像を表示するためのデータを、サーバー側から受信するための店舗内移動後試着アバター用データ等受信手段と、ユーザー側からサーバー側に送信した前記試着アバターの前記試着商品を提供した仮想店舗の内部又は店頭から前記仮想店舗の外の他の場所（他の仮想店舗を含む）への位置の移動に関する位置移動情報に対応して、サーバー側において、前記試着アバターの現在の最新の試着状態に関する情報であって各ユーザー又はそのアバター別に前記アバターが現在試着している一つ又は複数の商品に関する商品ＩＤなどの情報を前記試着商品を提供した仮想店舗に関する仮想店舗ＩＤなどの情報と互いに対応付けて記憶しておくための試着状態記憶手段からの情報と前記位置移動情報とに基づいて生成されるデータであって、前記位置移動情報に対応する前記仮想店舗の外の他の場所への移動後の位置における前記試着アバターの３次元画像を表示するための店舗外移動後試着アバター用データ及び前記アバターの周辺の仮想空間の３次元画像を表示するためのデータを、サーバー側から受信するための店舗外移動後試着アバター用データ等受信手段と、を備え、ユーザーが、自己のアバターに、前記商品を試着した状態のままで且つ前記商品についての購入手続を行わないままで、前記仮想店舗の内部又は店頭から前記仮想店舗の外の他の場所に移動して他の複数の仮想店舗の中に出入りさせながら、複数の仮想店舗の中のどの仮想店舗の商品が自分に適しているかを比較・検討できるようにしたことを特徴とするものである。
【００１５】
また、本発明によるアバターの商品試着機能を備えた仮想空間回遊システムにおいては、前記の既に或る商品を試着している試着アバターが、前記試着商品を提供してくれた仮想店舗とは異なる他の仮想店舗の内部又は店頭に存在しているとき、その他の仮想店舗により販売・提供されているユーザーの身体に装着又は近接させて使用する商品について、ユーザーからの購入検討情報をサーバー側が受信したとき、サーバー側において、その購入検討情報に対応する新たな商品が、既に試着している商品と同種の商品かどうかを判定し、その判定結果に基づいて、前記購入検討情報に対応する新たな商品が既に試着している商品と同種の商品である場合に生成されるデータであって、前記の既に試着している商品に代えて前記新たな商品を新たに試着した状態を示す切替試着アバターの３次元画像を表示するための切替試着アバター用データを、サーバー側から受信するための切替試着アバター用データ受信手段と、サーバー側において、前記判定結果に基づいて、前記購入検討情報に対応する商品が既に試着している商品と同種の商品ではない場合に生成されるデータであって、前記の既に試着している商品に加えて前記新たな商品を試着した状態を示す追加試着アバターの３次元画像を表示するための追加試着アバター用データを、サーバー側から受信するための追加試着アバター用データ生成受信手段と、を備え、（ａ）前記の或る仮想店舗から提供された或る種類の商品を試着した試着アバターが、前記試着商品を提供してくれた仮想店舗とは異なる他の仮想店舗で販売・提供されている前記試着商品と同じ種類の商品を、前記既に試着している同じ種類の商品に代えて試着することを可能にすることにより、ユーザーが、前記同じ一つの種類の商品について、複数の仮想店舗の中のどの仮想店舗の商品が自分に適しているかを、前記試着アバターに複数の仮想店舗を渡り歩かせながら、そしてそれぞれの仮想店舗で試着を繰り返させながら、比較・検討できるようにすると共に、（ｂ）前記の或る仮想店舗から提供された或る種類の商品を試着した試着アバターが、前記試着商品を提供してくれた仮想店舗とは異なる他の仮想店舗で販売・提供されている他の種類の商品を、前記既に試着している或る種類の商品に追加して試着することを可能にすることにより、ユーザーが、前記互いに異なる複数の種類の商品について、複数の仮想店舗の中のどの仮想店舗の商品が自分に適しているかを、前記試着アバターに複数の仮想店舗を渡り歩かせながら、そしてそれぞれの仮想店舗で試着を繰り返させながら、複数の仮想店舗でそれぞれ提供している複数の種類の商品の相互のコーディネートをも検討しつつ比較・検討できるようにする、ようにしたことが望ましい。
【００１６】
さらに、本発明によるアバターの商品試着機能を備えた仮想空間回遊システムにおいては、前記試着アバターが前記仮想空間内を回遊している間に、ユーザー側からの前記試着している商品の全部又は一部に関する購入希望情報に対応してサーバー側において生成される、前記購入希望情報に対応する一つ又は複数の商品についての購入及び決済に関する情報を、サーバー側から受信するための購入決済情報受信手段と、前記試着アバターが前記仮想空間内を回遊している間に、ユーザー側からの前記試着している商品の全部又は一部に関する購入検討取消情報に対応してサーバー側において生成される、前記購入検討取消情報に対応する一つ又は複数の商品についての購入検討を取り消す手続を行ったことを示す情報を、サーバー側から受信するための購入検討取消情報受信手段と、前記サーバー側の前記購入検討を取り消す手続において前記試着アバターの画像から前記購入検討を取消した一つ又は複数の商品の画像が除去されたとき、前記除去後の試着除去後アバターの３次元画像を表示するためにサーバー側において生成される試着除去後アバター用データを、サーバー側から受信するための試着除去後アバター用データ生成受信手段と、を備えたことが望ましい。
【００１７】
なお、以上に述べた本発明において、「ユーザーの身体に装着又は近接させて使用する商品（身体装着型商品）」は、衣服、ベルト、履物、アクセサリー（ネックレスなどの身飾品、かつら、マフラー、手袋、帽子、ネクタイなどの服装をきわだたせるもの）、バッグ、などを含む。また、本発明において、商品の「試着」とは、ユーザー（又はそのアバター）が商品の購入の適否を検討するために行う試着である。また、本発明において、商品の「試着」という用語は、バッグなどの商品をその購入の適否を検討するためにユーザー（又はそのアバター）の身体に近接させて使用すること（商品の「試用」）をも含む意味で使用している。
【発明の効果】
【００１８】
本発明においては、前記アバターが或る仮想店舗である商品を試着した後、ユーザー側からサーバー側に前記試着アバターの前記仮想店舗の外の他の場所（他の仮想店舗を含む）への位置の移動に関する位置移動情報が送信されたとき、前記店舗外移動後試着アバター用データ等生成送信手段により、前記試着アバターが、前記商品を試着した状態のままで且つ前記商品についての購入手続を行わないままで、前記仮想店舗の内部又は店頭から前記仮想店舗の外の他の場所に移動し、その後に他の複数の仮想店舗の中に出入りすることを可能している。すなわち、本発明においては、ユーザーのアバターが、或る仮想店舗の商品を試着したままの状態で且つ前記商品についての購入手続を行わないままで、他の複数の仮想店舗を渡り歩くことを可能としている（このようなことは、リアルの店舗ではそもそも不可能である）。このように試着したままアバターを回遊させるようにした場合でも、前記アバターの画像は、服装やバッグなどが試着で変わるだけなので、試着状態のまま他の仮想店舗に出かけたために見栄え上の違和感や不都合が出るなどの問題は全く生じない。以上より、本発明によれば、ユーザーは、自己のアバターが或る仮想店舗の商品を試着したまま他の複数の仮想店舗を渡り歩くのを見ながら、或る仮想店舗の商品（アバターが既に試着している商品）と他の仮想店舗の商品（アバターが現在訪れている仮想店舗の商品）とをその色合いや形状などについて直接に比較検討するなどして、前記仮想空間の中の複数の仮想店舗の中のどの仮想店舗の商品が自分に適しているかを、より的確に検討できるようになる。
【００１９】
特に、本発明では、前記試着状態記憶手段により前記アバターの現在の試着状態に関する情報を常に記憶（前記各アバターが試着している一つ又は複数の商品のＩＤと前記各試着商品を提供してくれた仮想店舗のＩＤとを互いに対応付けて記録）し管理するようにしているので、前記アバターが前記試着した商品を提供してくれた仮想店舗の外に出て他の仮想店舗内に入ったような場合でも、前記アバターが試着している商品がどの仮想店舗により提供されたものかについて、仮想空間内の複数の仮想店舗を横断的に、常に管理・把握できる。よって、本発明では、前述のように或る仮想店舗で提供された商品を試着したアバターがそのまま（前記試着した商品を購入しないまま）前記仮想店舗の外に出て他の仮想店舗に出入りするようにしても、前記アバターが現在試着している各商品がどの仮想店舗から提供されたものかを複数の仮想店舗を横断的に常に管理できているので、特に不都合が生じることはない。
【００２０】
また、本発明においては、既に或る商品を試着している試着アバターが、前記試着商品を提供してくれた仮想店舗とは異なる他の仮想店舗の内部又は店頭に存在しているとき、ユーザーから、その他の仮想店舗により販売・提供されている前記商品と同じ種類の商品について、購入検討情報を受信したとき（例えば、前記購入検討情報に対応する新たな商品の前記アバターにおける試着領域が、既に試着している商品の前記アバターにおける試着領域と同一であるような場合）、前記切替試着アバター用データ生成送信手段により、前記の既に試着している商品に代えて前記新たな商品（前記の既に試着している商品と同じ種類の商品）を新たに試着した状態を示す切替試着アバターを表示できるようにしている。したがって、本発明によれば、前記の或る仮想店舗から提供された或る種類の商品を既に試着している試着アバターが、前記試着商品を提供してくれた仮想店舗とは異なる他の仮想店舗で販売・提供されている前記試着商品と同じ種類の商品を、前記既に試着している商品に代えて新たに試着することが可能になる。よって、本発明によれば、ユーザーは、同じ一つの種類の商品について、ユーザーのアバターが複数の仮想店舗を渡り歩くのを見ながら、そしてそれぞれの仮想店舗で前記同じ種類の商品の試着を繰り返すのを見ながら、複数の仮想店舗の中のどの仮想店舗の商品が自分に適しているかを、的確に比較・検討できるようになる。
【００２１】
また、本発明においては、既に或る商品を試着している試着アバターが、前記試着商品を提供してくれた仮想店舗とは異なる他の仮想店舗の内部又は店頭に存在しているとき、ユーザーから、その他の仮想店舗により販売・提供されている前記商品と異なる種類の商品について、購入検討情報を受信したとき（例えば、その購入検討情報に対応する新たな商品の前記アバターにおける試着領域が、既に試着している商品の前記アバターにおける試着領域と同一でないような場合）、前記追加試着アバター用データ生成送信手段が、前記の既に試着している商品に加えて前記新たな商品を試着した状態を示す追加試着アバターを表示できるようにしている。したがって、本発明によれば、前記の或る仮想店舗から提供された或る種類の商品を試着した試着アバターが、前記試着商品を提供してくれた仮想店舗とは異なる他の仮想店舗で販売・提供されている他の種類（試着商品とは異なる種類）の商品を、前記既に試着している或る種類の商品に追加して試着することが可能になる。よって、本発明によれば、ユーザーは、複数の種類の商品について、ユーザーのアバターが複数の仮想店舗を渡り歩くのを見ながら、そしてそれぞれの仮想店舗で前記複数の種類の商品の試着を繰り返すのを見ながら、複数の仮想店舗がそれぞれ提供している複数の種類の商品の相互のコーディネートをも検討しつつ（一つの仮想店舗だけで目的とするコーディネートに適合する全ての商品を見つけられることは少ないので）、複数の仮想店舗の中のどの仮想店舗の商品が自分に適しているかを、的確に比較・検討できるようになる。
【発明を実施するための最良の形態】
【００２２】
本発明を実施するための最良の形態は、以下の実施例１について述べるような形態である。
【実施例１】
【００２３】
次に図１は本発明の実施例１によるアバターへの商品試着機能付き仮想空間回遊システムの概略構成を示す概念ブロック図である。図１において、１はインターネット及び公衆携帯電話網などで構成されるネットワーク、２は前記ネットワーク１に接続可能なユーザー端末で、例えばパソコン、携帯電話、ＰＤＡ（携帯型情報端末）などである。また、３は前記ネットワーク１に接続可能なサーバーシステムで、例えば、アプリケーションサーバーの機能をも有するＷｅｂサーバー及びデータベースサーバーなどがルーターを介してネットワーク１に接続されて成るものである。
【００２４】
次に、前記サーバーシステム３の機能について、図１を参照して説明する。図１において、１１は、（ａ）複数の仮想店舗、ビル、道路・通路などの仮想都市を構成するための様々な要素を含む仮想空間の３次元画像を生成するためのデータ、（ｂ）各仮想店舗の外観・店頭・内部の空間の３次元画像を生成するためのデータ、（ｃ）ユーザーのアバターや他人のアバターの３次元画像を生成するためのデータ、（ｄ）各仮想店舗が販売・提供する各商品の３次元画像を生成するためのデータ、（ｅ）各仮想店舗が販売・提供する各商品のＩＤ・品名・型番・商品の種類（若しくは、その商品がアバターの表面を占める表示領域＝その商品がアバターの表面に重ねて表示される表示領域）・価格・サイズ・材質・色柄などの商品詳細データ（テキストデータ）、及び、（ｆ）前記各商品を販売・提供している各仮想店舗のＩＤ・名称・事業主体名（責任者名）などの詳細データ（テキストデータ）、などを記録するための仮想空間・仮想店舗・アバター及び商品データベースである。前記データベース１１においては、前記各商品の３次元画像を生成するためのデータと前記各商品の商品詳細データ（テキストデータ）及び前記各仮想店舗の詳細データ（テキストデータ）とは、商品ＩＤや仮想店舗ＩＤなどにより互いに紐付けられて記録されている。
【００２５】
また、図１において、１２は、ユーザー端末２からのリクエスト（指示）情報などに対応して、前記データベース１１からの画像生成用データを使用して、各仮想店舗やそれらが扱う各商品やそれらの中で買い物などをする各アバターなどを含む仮想空間の３次元画像を略リアルタイムに生成するための画像生成部、である。前記画像生成部１２は、前記ユーザー端末２からのリクエスト情報などに基づいて、前記データベース１１から所定の画像生成用データを抽出し、それらを元に略リアルタイムに種々のジオメトリ処理やレンダリング（描画）処理を行って３次元画像を生成する。なお、前記画像生成部１２の具体的構成は従来より公知であるので説明は省略する。また、図１において、１３は前記画像生成部１２により生成された前記仮想空間の３次元画像のデータをネットワーク１経由でユーザー端末２に送信するための画像送信部である。なお、本実施例１では、前記画像生成部１２により生成される各商品画像（前記仮想空間内で各仮想店舗が陳列（販売・提供）している各商品の３次元画像）に関しては、その仮想空間内における前記各商品画像の位置情報を、その各商品のＩＤやその商品を陳列している各仮想店舗のＩＤなどの情報と関連付けて前記データベース１１に記録するようにしている。よって、本実施例１では、ユーザー端末２に前記画像生成部１２により生成された仮想空間画像が表示されているとき、その仮想空間内の或る仮想店舗内に陳列されている或る商品の画像に関してユーザー側が所得の選択や指定などの操作を行ったとき、サーバーシステム３側は、前記操作が行われた商品の仮想空間内における位置情報に基づいて、その商品のＩＤやその商品を陳列している仮想店舗のＩＤその他の詳細情報を前記データベース１１から取得することができるようになっている（また、本実施例１では、前記各商品画像の中に、その位置情報だけでなく、その商品のＩＤやそれを提供している仮想店舗のＩＤなども関連付けて埋め込んで記録しておくようにしてもよい。このようにしたときは、ユーザー端末２側に表示されている仮想空間内の或る商品をユーザーがクリック等操作したとき、その商品の位置情報だけでなくその商品のＩＤやそれを提供している仮想店舗のＩＤなどもユーザー端末２側で取得できるので、これらの情報をサーバーシステム３側へ送信するリクエスト情報の中に含めることもできる）。
【００２６】
また、図１において、１４は前記ユーザー端末２から送信されるユーザーのリクエスト情報を受信するためのリクエスト受信部である。前記リクエスト受信部１４が受信するリクエスト情報には、例えば、（ａ）ユーザー側に提供している仮想空間の中でユーザーがマウスやコントローラなどを使用してユーザーのアバターの位置を移動させる操作をしたときのアバターの位置移動情報、（ｂ）ユーザー側に提供している仮想空間内の或る仮想店舗が或る商品（本実施例１での「商品」は、ユーザーがその身体に装着又は近接して使用する商品を言う。以下同じ）を販売しているとき、その商品についてのユーザーのアバターへの試着指示情報（＝購入検討情報。この情報は、前記試着を希望する商品の仮想空間内における位置情報を含む。また、この情報は前記試着を希望する商品のＩＤとその商品を販売している仮想店舗のＩＤの情報を含むようにしてもよい）、（ｃ）ユーザーのアバターが或る商品を試着しているとき、その商品の購入の申込みをする購入申込み情報（＝購入希望情報。この情報は、前記試着を希望する商品の仮想空間内における位置情報を含む。また、この情報は前記購入を申し込んだ商品のＩＤとその商品を販売している仮想店舗のＩＤの情報を含むようにしてもよい）、などがある。なお、前述のように、前記画像送信部１３から送信される仮想空間内で各仮想店舗内が陳列（販売・提供）している各商品の画像に関しては、ユーザー側においてユーザーがある操作を行ったとき、その商品の仮想空間内における位置情報がユーザー端末２からサーバーシステム３側に送信される（例えば本実施例１では前記各商品画像の中にその仮想空間内の位置情報も埋め込まれて記録されているものとする）ので、サーバーシステム３側は、前記商品の仮想空間内における位置情報などに基づいて、前記データベース１１などから、その商品のＩＤやその商品を陳列している各仮想店舗のＩＤなどの情報を取得することができる。よって、ユーザー端末２側から、前記サーバーシステム３側に上記（ｂ）の試着指示情報や上記（ｃ）の購入申込み情報が送信されると、前記サーバーシステム３側（後述の試着状態管理部１７など）は、直ちに、前記商品の位置情報に基づいて、その商品のＩＤやその商品を陳列している各仮想店舗のＩＤなどの情報を取得し、それらの情報を後述の試着状態記憶部１６などに記憶して管理することができる。なお、本実施例１では、例えば、前記画像送信部１３からユーザー側に送信されて前記ユーザー端末２に表示される各商品画像の中に、各商品のＩＤやそれを提供している各仮想店舗のＩＤなどの情報をも関連付けして埋め込んで記録させるようにしておくことにより、前記ユーザー側から送信する上記（ｂ）の試着指示情報や上記（ｃ）の購入申込み情報の中に、ユーザーが試着を希望する各商品や購入を希望する各商品のＩＤやそれを提供する各仮想店舗のＩＤなどの情報をも含めるようにしてもよい。
【００２７】
また、図１において、１５は、前記リクエスト受信部１４が、前記ユーザー端末２から仮想空間内での前記アバターの位置移動情報（移動後の位置情報を含む）を受信したとき、前記リクエスト受信部１４から前記位置移動情報を受信して、前記アバターの移動後の現在の最新の位置を記憶（更新記録）しておくためのアバター位置記憶部、である。
【００２８】
前記画像生成部１２は、前記ユーザー端末２から前記アバターの移動を指示する情報（位置移動情報）が送信されたときは、前記アバター位置記憶部１５にアクセスして前記アバターの最新の（更新後の）位置情報を読み取り、これと前記データベース１１からの各描画用データとに基づいて、前記位置移動の指示に対応した移動後のアバターとその周囲の仮想空間を含む３次元画像を略リアルタイムに生成する。
【００２９】
また、図１において、１６は、各ユーザーのアバターが仮想空間内を各仮想店舗が販売する商品を試着可能に回遊しているとき、前記各アバターの現在の最新の試着状態を示す情報、すなわち、前記各アバターがそれぞれ試着している各商品のＩＤや品名などの詳細情報とその各商品を販売している各仮想店舗のＩＤなどの詳細情報とを、各ユーザーＩＤ（又はアバターＩＤ）と対応付けて記憶しておくための試着状態記憶部、である。
【００３０】
また、図１において、１７は、前記リクエスト受信部１４が、前記ユーザー端末２からの或る商品についての試着指示情報（購入検討情報）を受信したとき、前記リクエスト受信部１４から前記試着指示情報（購入検討情報）に含まれる前記試着希望の商品の仮想空間内における位置情報（及び、前記商品のＩＤなどの情報やそれを提供している仮想店舗のＩＤなどの情報）などを受信して、前記試着状態記憶部１６の記憶内容を更新するための試着状態管理部、である。
【００３１】
前記試着状態管理部１７は、前記リクエスト受信部１４が前記ユーザー側からの試着指示情報を受信したとき、その試着指示情報に含まれる試着希望商品の位置情報や、この位置情報に基づいて前記データベース１１などから取得できる前記試着希望商品のＩＤやそれを提供してくれた仮想店舗のＩＤなどの情報を、前記試着状態記憶部１６に、各ユーザーＩＤ（又はアバターＩＤ）と対応付けて記憶させる。また、前記試着状態管理部１７は、前記試着希望商品のＩＤなどを検索キーとして、その商品の詳細情報（品名、型番、商品の種類（若しくは、その商品がアバターの表面に重ねて表示される表示領域）、価格、サイズ、材質などの情報）を、前記データベース１１から読み出し、この読み出した商品の詳細情報を、前記試着状態記憶部１６に各ユーザーＩＤ（又はアバターＩＤ）と対応付けて記憶させる。
【００３２】
また、前記試着状態管理部１７は、前記リクエスト受信部１４が前記ユーザー側からの試着指示情報を受信したとき、前記試着希望商品のＩＤなどを検索キーとして、その商品の詳細情報（品名、種類（若しくは、その商品がアバターの表面に重ねて表示される表示領域）、型番など）を前記データベース１１から読み出し、その読み出した情報と、前記試着状態記憶部１６に記憶されているそれまでに既に試着している各商品の詳細情報とを照合する。そして、前記照合の結果、両者の品名又は種類（若しくは、その商品がアバターの表面に重ねて表示される表示領域）が互いに一致していないときは、それらは互いに異種の（若しくは、アバターの表面に重ねて表示される表示領域が同一でない）商品（例えば帽子とジャンパー、Ｔシャツとネクタイなど）であると判定する。よって、この場合は（異種の商品は一つのアバターが２つ同時に試着することができるため）、前記試着状態管理部１７は、前記試着状態記憶部１６にアクセスして、最新の試着状態を記憶しておくための領域（例えば最新の試着状態を構成する商品群のフォルダ）の中に、前記の新たな試着希望商品を追加的に記憶させる。
【００３３】
他方、前記照合の結果、両者の品名又は種類（若しくは、その商品がアバターの表面に重ねて表示される表示領域）が互いに一致するものが存在するときは、それらは互いに同種の（若しくは、アバターの表面に重ねて表示される表示領域が同一の）商品（例えば帽子同士、ジャンパー同志、Ｔシャツ同士、ネクタイ同士など）であると判定される。よって、この場合は（同種の商品は一つのアバターが２つ同時に試着することができないため）、前記試着状態管理部１７は、前記試着状態記憶部１６にアクセスして、最新の試着状態を記憶しておくための領域（例えば最新の試着状態を構成する商品群のフォルダ）から、それまでに既に試着していた前記同種と判定された商品を除外し、それに代えて、前記の新たな試着希望商品を、最新の試着状態を記憶しておくための領域（例えば最新の試着状態を構成する商品群のフォルダ）の中に、最新の試着状態を構成する商品群の一つとして新たに記憶させる。なお、前記の最新の試着状態を構成する商品群から除外した商品のデータは、前述のように前記試着状態記憶部１６の記憶内容から削除するようにすることが望ましいが、前記試着状態記憶部１６の中に予め形成されている「以前の（最新ではない）試着状態を構成する商品群」の領域に移動させたり、現在は試着されていないことを示す所定の属性情報を付与した上でそのまま前記試着状態記憶部１６の中に記憶させておくようにしてもよい。
【００３４】
前記画像生成部１２は、前記ユーザー端末２から前記アバターへの商品の試着を指示する情報（購入検討情報）が送信されたときは、前記試着状態記憶部１６にアクセスして前記アバターの最新の（更新後の）試着状態を読み取り、この最新の試着状態を構成する各商品のＩＤを検索キーとして、前記データベース１１からの該当する各商品の描画用データを読み出し、それらのデータに基づいて、前記指示に対応する試着後のアバターとその周囲の仮想空間を含む３次元画像を略リアルタイムに生成する。
【００３５】
次に、図１において、１９は、前記リクエスト受信部１４が、ユーザー側からの前記アバターが試着している商品についての購入申込み情報（前記商品のＩＤ及び前記商品を販売している仮想店舗のＩＤなどの情報を含む）を受信したとき、前記商品の購入・決済の手続を行う購入決済部である。前記購入決済部１９は、例えば、前記リクエスト受信部１４からの前記購入申込み情報（前記商品のＩＤ及び前記商品を販売している仮想店舗のＩＤなどの情報を含む）に基づいて、前記試着状態記憶部１６又は前記データベース１１にアクセスして、その商品ＩＤや仮想店舗ＩＤなどから、その商品の価格や型番と仮想店舗の事業主体名などを取り出し、それらの情報を含む代金請求情報を生成する。この生成した代金請求情報は、決済データ送受信部２０から、ユーザー側にネットワーク１経由で送信する。
【００３６】
前記代金請求情報に対して、ユーザー側から、代金決済用の電子マネー情報、クレジットカード番号情報、又は配送業者への代金引換支払い依頼情報などの決済データが送信されると、その決済データは、前記決済データ送受信部２０に受信された後、前記購入決済部１９に転送される。前記購入決済部１９は、前記決済データによる決済を終了すると、決済終了通知を生成し、前記決済データ送受信部２０を介してユーザー側に送信する。
【００３７】
また、前記購入決済部１９は、前記決済された商品の配送の手続を指示する情報を、例えば前記サーバーシステム３の外部にある前記商品を販売する仮想店舗の事業主体（責任者）が運営するコンピュータシステム（図示せず）に、送信する。また、前記購入決済部１９は、前記決済データによる決済が行われると、前記決済された商品の売上げデータを、例えば前記サーバーシステム３の外部にある前記商品を販売する仮想店舗の事業主体（責任者）が運営するコンピュータシステム（図示せず）に、送信する。
【００３８】
次に、前述した本実施例１による前記アバター及び仮想空間の画像の生成及び送信の動作を、図２のフローチャートを参照して説明する。なお、以下では、説明の簡便化のため、前記ユーザー側からのリクエスト情報の内容を、アバターの移動かアバターの試着かのいずれかに限るものとして説明する。今、ユーザー側からのリクエスト情報を受信したときは（ステップＳ１）、まずそれが前記アバターの位置の移動を指示する位置移動情報か前記アバターの試着を指示する試着指示情報かを判定する（ステップＳ２）。前記受信したリクエスト情報が位置移動情報であったときは、ステップＳ３に進む。ステップＳ３では、前記アバター位置記憶部１５が前記リクエスト受信部１４からの情報（アバターの移動後の位置情報を含む）を受信し、それを前記アバターの最新の位置情報として記憶すると共に、前記画像生成部１２が、前記アバター位置記憶部１５からのアバターの最新位置情報（又は前記リクエスト情報に含まれるアバターの移動後の位置情報）と前記データベース１１からの描画用データとに基づいて、移動後のアバター画像とその周囲の仮想空間画像を生成し、前記画像送信部１３からユーザー側に送信する（ステップＳ３）。図３から図６までは、前記ステップＳ１からＳ３の動作により得られる画像の一例を示すもので、仮想空間内をユーザーのアバターが自由に移動・回遊している状態を示す画像である。
【００３９】
また、前記ステップＳ１で受信したリクエスト情報が位置移動情報ではなく試着指示情報であったときは、ステップＳ４に進んで、前記アバターは既に他の商品を試着しているかどうかを判定する。前記アバターがまだ他の商品を試着しておらず前記ステップＳ４の判定がＮＯのときは、ステップＳ５に進む。ステップＳ５では、前記試着状態管理部１７が、前記試着指示情報に基づいて取得した前記試着希望商品のＩＤとこれを検索キーとして前記データベースから引き出した商品詳細情報を、前記試着状態記憶部１６に記憶させる。また、前記ステップＳ５では、これとほぼ同時に、前記画像生成部１２が、前記試着状態記憶部１６に記憶されている最新のアバター試着情報（又は前記リクエスト情報に含まれる試着指示情報）とこれをキーとして前記データベース１１から抽出される前記試着希望商品の描画用データなどに基づいて、前記商品を試着したアバター画像とその周囲の仮想空間画像を生成し、前記画像送信部１３からユーザー側に送信する。
【００４０】
図７及び図８は、前記ステップＳ４及びＳ５の動作により得られる画像の一例を示すものである。すなわち、図７では、ユーザーのアバター（車椅子利用者の画像）が仮想店舗の店頭に位置しており、この店頭では帽子を試着している他の顧客が表示されている。また、この図７の状態では、前記アバターは未だ何も商品の試着をしていない（前記ステップＳ４の判定はＮＯとなる）。この状態で、ユーザーがマウスなどで所定の操作を行うと、例えば前記アバターに最も近い位置にある商品（帽子）についての試着指示情報（購入検討情報）がユーザー端末２で生成され、それがネットワーク１経由で送信される。前記リクエスト受信部１４がこれを受信して前記試着状態管理部１７や画像生成部１２に転送することにより、前記のステップＳ４及びＳ５で説明した動作が行われ、前記試着状態記憶部１６の記憶内容が追加的に更新されると共に、前記商品（帽子）が試着されたアバターの画像とその周囲の仮想空間画像が生成され、それがユーザー側に送信され、ユーザー端末２側で表示される（図８参照）。
【００４１】
他方、前記ステップＳ４において、前記アバターが既に他の商品を試着しており前記ステップＳ４の判定がＹＥＳのときは、次のステップＳ６に進む。ステップＳ６では、前記試着状態管理部１７が、前記リクエスト受信部１４が受信した試着指示情報に含まれる新たな試着希望商品のＩＤを検索キーとして前記データベース１１から抽出した前記試着商品の詳細情報（品名、種類（若しくは、その商品がアバターの表面に重ねて表示される表示領域）、型番など）と、前記試着状態記憶部１６に記憶されている前記アバターが既に試着している各商品の詳細情報とを照合し、前記試着指示情報により試着を指示された商品が前記アバターが既に試着している商品と同じ種類の商品か否か（若しくは、前記アバターに重ねて表示される表示領域が同じ商品か否か）を判定する。
【００４２】
前記試着指示情報により試着を指示された商品が前記アバターが既に試着している商品と同じ種類の商品（若しくは、前記アバターに重ねて表示される表示領域が同じ商品）ではないため前記ステップＳ６の判定がＮＯのときは、次のステップＳ７に進む。ステップＳ７では、前記試着状態管理部１７が前記試着指示情報に含まれる新たに試着する商品のＩＤなどの情報を前記試着状態記憶部１６に追加的に書き込む。また、ステップＳ７では、これとほぼ同時に、前記画像生成部１２が、前記試着状態管理部１７により前述のように書き加えられた前記試着状態記憶部１６からの最新のアバター試着情報（又は前記リクエスト情報に含まれる試着指示情報）とこれをキーとして前記データベース１１から抽出される前記試着希望商品の描画用データなどに基づいて、前記商品を試着したアバター画像とその周囲の仮想空間画像を生成し、前記画像送信部１３からユーザー側に送信する。
【００４３】
図９及び図１０は、前記ステップＳ４，Ｓ６及びＳ７の動作により得られる画像の一例を示すものである。図９では、ユーザーのアバター（車椅子利用者の画像）が図７，８とは別の仮想店舗の店頭に位置しているが、前の仮想店舗で試着した帽子（前記ステップＳ５で試着した図８の帽子）をそのまま試着し続けている（前記ステップＳ４の判定はＹＥＳとなる）。そして、図９の仮想店舗の店頭では店員がジャンパーを販売している（前記ジャンパーはアバターが既に試着している帽子とは異なる種類の商品なので前記ステップＳ６の判定はＮＯとなる）。この状態で、ユーザーがマウスなどで所定の操作を行うと、例えば前記アバターに最も近い位置にある商品（図９のジャンパー）についての試着指示情報（購入検討情報）がユーザー端末２で生成され、それがネットワーク１経由で送信される。前記リクエスト受信部１４がこれを受信して前記試着状態管理部１７や画像生成部１２に転送することにより、前記のステップＳ４，Ｓ６及びＳ７で説明した動作が行われ、前記試着状態記憶部１６の記憶内容が追加的に更新されると共に、前記商品（ジャンパー）を図８の帽子に追加して試着した状態を示すアバターの画像とその周囲の仮想空間画像が生成され、それがユーザー側に送信され、ユーザー端末２側で表示される（図１０参照）。
【００４４】
他方、前記試着指示情報により試着を指示された商品が前記アバターが既に試着している商品と同じ種類の商品（若しくは、前記アバターに重ねて表示される表示領域が同じ商品）であるため前記ステップＳ６の判定がＹＥＳとなるときは、次のステップＳ８に進む。ステップＳ８では、前記試着状態管理部１７が、前記試着状態記憶部１６に、前記試着指示情報に含まれる新たに試着する商品のＩＤなどの情報を、それまで前記アバターが既に試着していた商品のＩＤなどの情報と交換的に、書き込む。すなわち、前記試着状態管理部１７は、前記試着状態記憶部１６に、それまで前記アバターが既に試着していた商品のＩＤなどの情報を前記アバターの最新の試着状態を構成する商品群の情報から外して（最新の試着状態を構成する商品群を記憶しておく記憶領域やフォルダから除外して）、その代わりに、前記試着指示情報に含まれる新たに試着する商品のＩＤなどの情報を前記アバターの試着状態を構成する商品群の情報として、前記記憶領域やフォルダに書き加える。また、前記ステップＳ８では、これとほぼ同時に、前記画像生成部１２が、前記試着状態管理部１７により前述のように書き換えられた前記試着状態記憶部１６からの最新のアバター試着情報（又は前記リクエスト情報に含まれる試着指示情報）とこれをキーとして前記データベース１１から抽出される前記試着希望商品の描画用データなどに基づいて、前記商品を試着したアバター画像とその周囲の仮想空間画像を生成し、前記画像送信部１３からユーザー側に送信する。
【００４５】
なお、図９及び図１０を参考にして、前記ステップＳ６及びＳ８の動作を説明すると、次のとおりである。図９では、実際には前記アバター（車椅子利用者の画像）が帽子を試着しているが、ここでの説明では仮に図９でアバター（車椅子利用者の画像）が既にジャンパーを試着していると仮定する。すると、図９では、前記アバターが既に試着しているジャンパーと同じ種類の商品（ジャンパー）を販売しており、この商品についてユーザー側から試着指示情報が送信されたときは、前記ステップＳ６の判定がＹＥＳとなる。このときは、前記リクエスト受信部１４がこれを受信して前記試着状態管理部１７や画像生成部１２に転送することにより、前記のステップＳ８で説明した動作が行われ、前記試着状態記憶部１６の記憶内容が交換的に更新されると共に、それまで既に試着していた同種の商品（ジャンパー）に代えて図９の仮想店舗の店頭にある新しい商品（ジャンパー）を交換的に試着した状態を示すアバターの画像とその周囲の仮想空間画像が生成され、それがユーザー側に送信され、ユーザー端末２側で表示される（図１０参照）。
【００４６】
なお、図１１から図１４までは、前述した図３から図６までと同様に、ユーザー側からアバターの位置移動情報が送信されたとき、前記画像生成部１２により生成され、前記画像送信部１３によりユーザー側に送信される、移動後のアバター画像とその周囲の仮想空間画像により構成される仮想空間内をユーザーのアバターが自由に移動・回遊している状態を示す画像、を示す図である。
【００４７】
以上、本発明の各実施例について説明したが、本発明及び本発明を構成する各構成要件は、それぞれ、前記の各実施例及び前記の各実施例を構成する各要素として述べたものに限定されるものではなく、様々な修正及び変更が可能である。例えば、前記実施例１では、仮想空間として複数の仮想店舗が存在する仮想の商業施設（ショッピングモール）を例にしたが、本発明ではこれに限られるものではなく、例えば仮想の商店街、仮想の都市、仮想の島など様々な仮想空間を使用することができる。また、前記実施例１では、ジオメトリ処理やレンダリング処理をサーバー側（図１の画像生成部１２についての説明参照）で行うようにしているが、本発明では、例えばサーバー側からはジオメトリ処理やレンダリング処理の前段階のデータをユーザー端末２に送信し、ユーザー端末２側でこのデータに基づいてジオメトリ処理やレンダリング処理を行うようにしてもよい。
【図面の簡単な説明】
【００４８】
【図１】本発明の実施例１によるアバターの商品試着機能を備えた仮想空間回遊システムの機能ブロック図。
【図２】本実施例１による動作の一部を説明するためのフローチャート。
【図３】本実施例１による動作を説明するための図。
【図４】本実施例１による動作を説明するための図。
【図５】本実施例１による動作を説明するための図。
【図６】本実施例１による動作を説明するための図。
【図７】本実施例１による動作を説明するための図。
【図８】本実施例１による動作を説明するための図。
【図９】本実施例１による動作を説明するための図。
【図１０】本実施例１による動作を説明するための図。
【図１１】本実施例１による動作を説明するための図。
【図１２】本実施例１による動作を説明するための図。
【図１３】本実施例１による動作を説明するための図。
【図１４】本実施例１による動作を説明するための図。
【符号の説明】
【００４９】
１         ネットワーク
２         ユーザー端末
３         サーバーシステム
１１     データベース
１２     画像生成部
１３     画像送信部
１４     リクエスト受信部
１５     アバター位置記憶部
１６     試着状態記憶部
１７     試着状態管理部
１９     購入決済部
２０     決済データ送受信部
【図１】
2008242775.tif 000003
【図２】
2008242775.tif 000004
【図３】
2008242775.tif 000005
【図４】
2008242775.tif 000006
【図５】
2008242775.tif 000007
【図６】
2008242775.tif 000008
【図７】
2008242775.tif 000009
【図８】
2008242775.tif 000010
【図９】
2008242775.tif 000011
【図１０】
2008242775.tif 000012
【図１１】
2008242775.tif 000013
【図１２】
2008242775.tif 000014
【図１３】
2008242775.tif 000015
【図１４】
2008242775.tif 000016
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
ユーザー側の通信端末との間でネットワークを介して必要なデータを送受信することにより、それぞれの内部、外部、及び販売・提供する商品が３次元画像で示される複数の仮想店舗を含み、３次元画像で示されるユーザーのアバターが、前記複数の仮想店舗の内外を渡り歩きながら回遊できるような、３次元画像で示される仮想空間を、ユーザー側に提供するための仮想空間回遊システムであって、
ユーザー側からの要求に基づいて、商品を未だ試着していない試着前アバター及びその周辺空間の３次元画像を示す試着前アバター用データを生成しユーザー側に送信するための試着前アバター用データ生成送信手段と、
ユーザー側から、前記試着前アバターの前記仮想空間内（複数の仮想店舗の内部を含む。以下同じ）における位置の移動に関する位置移動情報を受信したとき、前記の受信した位置移動情報に基づいて、前記位置移動情報に対応する位置に移動したときの移動後の試着前アバター及びその周辺空間の３次元画像を示す移動後試着前アバター用データを生成しユーザー側に送信するための移動後試着前アバター用データ生成送信手段と、
前記仮想空間の中の或る一つの仮想店舗がユーザーの身体に装着又は近接させて使用する商品を販売・提供しており、且つ、その仮想店舗内（仮想店舗の店頭を含む。以下同じ）にユーザーのアバターが存在しているとき、ユーザー側からの前記商品に関する購入検討情報を受信するための購入検討情報受信手段と、
ユーザー側からの前記購入検討情報を受信したとき、前記アバター画像と前記商品の画像とに基づいて、前記アバターが前記商品を試着している試着アバター及びその周辺空間の３次元画像を示す試着アバター用データを生成し、ユーザー側に送信するための試着アバター用データ生成送信手段と、
前記試着アバターに関する情報であって、各ユーザー又はそのアバター毎に、少なくとも前記アバターの仮想空間内の現在位置と前記アバターが現在試着している一つ又は複数の商品に関する商品ＩＤと前記試着商品をそれぞれ提供した仮想店舗に関する仮想店舗ＩＤとを互いに対応付けて記憶しておくための試着状態記憶手段と、
前記の或る仮想店舗Ａが提供している或る種類の商品ａを試着した試着アバターに関して、前記仮想店舗Ａとは異なる「他の仮想店舗」Ｂ内への位置移動情報を受信したとき、前記受信した位置移動情報に基づいて、前記「他の仮想店舗」Ｂ内の試着アバター及びその周辺空間を示す移動後試着アバター用データであって、前記試着アバターが試着している前記仮想店舗Ａの商品ａと前記「他の仮想店舗」Ｂ内に陳列されている商品ｂとを同じ一つの３次元空間の中で３次元的に表示するための移動後試着アバター用データを生成し、ユーザー側に送信するための移動後試着アバター用データ生成送信手段と、
前記の或る商品ａを既に試着している試着アバターが、前記商品ａを提供してくれた仮想店舗Ａとは異なる「他の仮想店舗」Ｂ内に存在している場合において、前記「他の仮想店舗」Ｂ内に陳列されているユーザーの身体に装着又は近接させて使用する商品ｂについて、ユーザーからの購入検討情報を受信したとき、前記「他の仮想店舗」Ｂの商品ｂが、前記試着アバターが既に試着している前記仮想店舗Ａの商品ａと同種の商品であるかどうかを判定するための判定手段と、
前記判定手段からの信号に基づいて、前記「他の仮想店舗」Ｂの商品ｂが、既に試着している前記仮想店舗Ａの商品ａと同種の商品であるとき、前記仮想店舗Ａの商品ａに代えて前記「他の仮想店舗」Ｂの商品ｂを新たに切り替え的に試着した状態を示す切替試着アバター及びその周辺空間の３次元画像を示す切替試着アバター用データを生成し、ユーザー側に送信するための切替試着アバター用データ生成送信手段と、
を備え、（１）前記の或る仮想店舗Ａが提供している或る種類の商品ａを試着した試着アバターが、その後、前記仮想店舗Ａとは異なる「他の仮想店舗」Ｂ内に移動して、自らが試着している前記仮想店舗Ａの商品ａと前記「他の仮想店舗」Ｂ内の商品ｂとを同じ一つの３次元空間の中で見比べることができるようにし、さらに、（２）前記「他の仮想店舗」Ｂ内で、前記仮想店舗Ａが提供している試着商品ａと同じ種類の前記「他の仮想店舗」Ｂの商品ｂを、前記仮想店舗Ａの商品ａに代えて新たに切り替え的に試着することを容易にできるようにして、ユーザーが、前記同じ種類の複数の商品ａ，ｂについて、複数の仮想店舗Ａ，Ｂの中のどの仮想店舗の商品が自分に適しているかを、前記試着アバターに複数の仮想店舗Ａ，Ｂ内を渡り歩かせてそれぞれの仮想店舗Ａ，Ｂ内で試着を行わせながら、容易に比較・検討できるようにした、ことを特徴とする、アバターの商品試着機能を備えた仮想空間回遊システム。
【請求項２】
請求項１において、
前記判定手段からの信号に基づいて、前記「他の仮想店舗」Ｂの商品ｃが、既に試着している前記仮想店舗Ａの商品ａと同種の商品ではないとき、前記仮想店舗Ａの商品ａに加えて前記「他の仮想店舗」Ｂの商品ｃをも追加的に試着した状態を示す追加試着アバター及びその周辺空間の３次元画像を示す追加試着アバター用データを生成し、ユーザー側に送信するための追加試着アバター用データ生成送信手段と、
を備え、前記の或る仮想店舗Ａから提供された或る種類の商品ａを試着した試着アバターが、「他の仮想店舗」Ｂ内で、「他の仮想店舗」Ｂ内で陳列されている他の種類の商品ｃを、前記既に試着している或る種類の商品ａに追加して試着することを可能にすることにより、ユーザーが、前記互いに異なる複数の種類の商品ａ，ｃについて、前記試着アバターに複数の仮想店舗Ａ，Ｂを渡り歩かせてそれぞれの仮想店舗Ａ，Ｂで試着を行わせながら、複数の仮想店舗Ａ，Ｂでそれぞれ提供している複数の種類の商品ａ，ｃの相互のコーディネートをも検討しつつ比較・検討することを可能にした、ことを特徴とする、アバターの商品試着機能を備えた仮想空間回遊システム。
【請求項３】
請求項１又は２において、
前記試着アバターが前記仮想空間内を回遊している間に、ユーザー側からの前記試着している商品の全部又は一部に関する購入希望情報を受信したとき、前記購入希望情報に対応する一つ又は複数の商品について、ユーザーとの間で購入及び決済の手続を行うための購入決済手段と、
前記試着アバターが前記仮想空間内を回遊している間に、ユーザー側からの前記試着している商品の全部又は一部に関する購入検討取消情報を受信したとき、前記購入検討取消情報に対応する一つ又は複数の商品について、ユーザーによる購入検討を取り消す手続を行うための購入検討取消手段と、
前記購入検討取消情報又は前記購入検討取消手段からの信号に基づいて、前記試着アバターの画像から前記購入検討を取消した一つ又は複数の商品の画像を除去した後の試着除去後アバターの３次元画像を表示するための試着除去後アバター用データを生成しユーザー側に送信するための試着除去後アバター用データ生成送信手段と、
を備えたことを特徴とするアバターの商品試着機能を備えた仮想空間回遊システム。
【請求項４】
サーバーとの間でネットワークを介して必要なデータを送受信することにより、それぞれの内部、外部、及び販売・提供する商品が３次元画像で示される複数の仮想店舗を含み、３次元画像で示されるユーザーのアバターが、前記複数の仮想店舗の内外を渡り歩きながら回遊できるような、３次元画像で示される仮想空間を、ユーザー側に表示するための仮想空間回遊システムであって、
商品を未だ試着していない試着前アバター及びその周辺空間の３次元画像を示す試着前アバター用データを、サーバー側から受信するための試着前アバター用データ受信手段と、
前記試着前アバターの前記仮想空間内（複数の仮想店舗の内部を含む）での位置の移動に関する位置移動情報を、サーバー側に送信するための位置移動情報送信手段と、
前記ユーザー側からの位置移動情報に対応してサーバー側で生成されるデータであって、前記位置移動情報に対応する位置に移動したときの移動後の試着前アバター及びその周辺空間の３次元画像を示す移動後試着前アバター用データを、サーバー側から受信するための移動後試着前アバター用データ受信手段と、
前記仮想空間の中の或る一つの仮想店舗がユーザーの身体に装着又は近接させて使用する商品を販売・提供しており、且つ、その仮想店舗内（仮想店舗の店頭を含む。以下同じ）にユーザーのアバターが存在しているとき、前記商品に関する購入検討情報を、サーバー側に送信するための購入検討情報送信手段と、
前記ユーザー側からの購入検討情報に対応してサーバー側で生成されるデータであって、前記アバターが前記商品を試着している試着アバター及びその周辺空間の３次元画像を示す試着アバター用データを、サーバー側から受信するための試着アバター用データ受信手段と、
ユーザー側からの、前記の或る仮想店舗Ａが提供している或る種類の商品ａを試着した試着アバターに関する、前記仮想店舗Ａとは異なる「他の仮想店舗」Ｂ内への位置移動情報に対応して、サーバー側において、前記試着アバターに関する情報であって、各ユーザー又はそのアバター毎に、少なくとも前記アバターの仮想空間内の現在位置と前記アバターが現在試着している一つ又は複数の商品に関する商品ＩＤと前記試着商品をそれぞれ提供した仮想店舗に関する仮想店舗ＩＤとを互いに対応付けて記憶しておくための試着状態記憶手段からの情報と前記位置移動情報とに基づいて生成される、前記「他の仮想店舗」Ｂ内の試着アバター及びその周辺空間を示す移動後試着アバター用データであって、前記試着アバターが試着している前記仮想店舗Ａの商品ａと前記「他の仮想店舗」Ｂ内に陳列されている商品ｂとを同じ一つの３次元空間の中で３次元的に表示するための移動後試着アバター用データを、サーバー側から受信するための移動後試着アバター用データ受信手段と、
前記の或る商品ａを既に試着している試着アバターが、前記商品ａを提供してくれた仮想店舗Ａとは異なる「他の仮想店舗」Ｂ内に存在している場合において、前記「他の仮想店舗」Ｂ内に陳列されているユーザーの身体に装着又は近接させて使用する商品ｂについて、ユーザーからの購入検討情報を受信したとき、サーバー側が、前記「他の仮想店舗」Ｂの商品ｂが、前記試着アバターが既に試着している前記仮想店舗Ａの商品ａと同種の商品であるかどうかを判定し、その判定結果に基づいて、前記「他の仮想店舗」Ｂの商品ｂが既に試着している前記仮想店舗Ａの商品ａと同種の商品であるときに生成するデータであって、前記仮想店舗Ａの商品ａに代えて前記「他の仮想店舗」Ｂの商品ｂを新たに切り替え的に試着した状態を示す切替試着アバター及びその周辺空間の３次元画像を示す切替試着アバター用データを、サーバー側から受信するための切替試着アバター用データ受信手段と、
を備え、（１）前記の或る仮想店舗Ａが提供している或る種類の商品ａを試着した試着アバターが、その後、前記仮想店舗Ａとは異なる「他の仮想店舗」Ｂ内に移動して、自らが試着している前記仮想店舗Ａの商品ａと前記「他の仮想店舗」Ｂ内の商品ｂとを同じ一つの３次元空間の中で見比べることができるようにし、さらに、（２）前記仮想店舗Ａが提供している試着商品ａと同じ種類の商品であって前記「他の仮想店舗」の商品ｂを、前記仮想店舗Ａの商品ａに代えて新たに切り替え的に試着することを容易にできるようにして、ユーザーが、前記同じ種類の複数の商品ａ，ｂについて、複数の仮想店舗Ａ，Ｂの中のどの仮想店舗の商品が自分に適しているかを、前記試着アバターに複数の仮想店舗Ａ，Ｂ内を渡り歩かせてそれぞれの仮想店舗Ａ，Ｂ内で試着を行わせながら、容易に比較・検討できるようにした、ことを特徴とする、アバターの商品試着機能を備えた仮想空間回遊システム。
【請求項５】
請求項４において、
サーバー側において、前記判定結果に基づいて、前記「他の仮想店舗」Ｂの商品ｃが、既に試着している前記仮想店舗Ａの商品ａと同種の商品ではないときに生成されるデータであって、前記仮想店舗Ａの商品ａに加えて前記「他の仮想店舗」Ｂの商品ｃをも追加的に試着した状態を示す追加試着アバター及びその周辺空間の３次元画像を示す追加試着アバター用データを、サーバー側から受信するための追加試着アバター用データ生成受信手段、
を備え、前記の或る仮想店舗Ａから提供された或る種類の商品ａを試着した試着アバターが、前記試着商品ａを提供してくれた仮想店舗Ａとは異なる「他の仮想店舗」Ｂ内で陳列されている他の種類の商品ｃを、前記既に試着している或る種類の商品ａに追加して試着することを可能にすることにより、ユーザーが、前記互いに異なる複数の種類の商品ａ，ｃについて、前記試着アバターに複数の仮想店舗Ａ，Ｂを渡り歩かせてそれぞれの仮想店舗Ａ，Ｂで試着を行わせながら、複数の仮想店舗Ａ，Ｂでそれぞれ提供している複数の種類の商品ａ，ｃの相互のコーディネートをも検討しつつ比較・検討することを可能にした、ことを特徴とする、アバターの商品試着機能を備えた仮想空間回遊システム。
【請求項６】
請求項４又は５において、
前記試着アバターが前記仮想空間内を回遊している間に、ユーザー側からの前記試着している商品の全部又は一部に関する購入希望情報に対応してサーバー側において生成される、前記購入希望情報に対応する一つ又は複数の商品についての購入及び決済に関する情報を、サーバー側から受信するための購入決済情報受信手段と、
前記試着アバターが前記仮想空間内を回遊している間に、ユーザー側からの前記試着している商品の全部又は一部に関する購入検討取消情報に対応してサーバー側において生成される、前記購入検討取消情報に対応する一つ又は複数の商品についての購入検討を取り消す手続を行ったことを示す情報を、サーバー側から受信するための購入検討取消情報受信手段と、
前記サーバー側での購入検討を取り消す手続において前記試着アバターの画像から前記購入検討を取消した一つ又は複数の商品の画像が除去されたとき、前記除去後の試着除去後アバターの３次元画像を表示するためにサーバー側において生成される試着除去後アバター用データを、サーバー側から受信するための試着除去後アバター用データ生成受信手段と、
を備えたことを特徴とするアバターの商品試着機能を備えた仮想空間回遊システム。
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
ユーザー側の通信端末との間でネットワークを介してデータを送受信することにより、それぞれの内部、外部、及び販売・提供する商品が３次元画像で示される複数の仮想店舗を含み、３次元画像で示されるユーザーのアバターが、前記複数の仮想店舗の内外を渡り歩きながら回遊できるような、３次元画像で示される仮想空間を、ユーザー側に提供するための仮想空間回遊システムであって、
ユーザー側からの要求に基づいて、商品を未だ試着していない試着前アバター及びその周辺空間の３次元画像を示す試着前アバター用データを生成しユーザー側に送信するための試着前アバター用データ生成送信手段と、
ユーザー側から、前記試着前アバターの前記仮想空間内（複数の仮想店舗の内部を含む。以下同じ）における位置の移動に関する位置移動情報を受信したとき、前記の受信した位置移動情報に基づいて、前記位置移動情報に対応する位置に移動したときの移動後の試着前アバター及びその周辺空間の３次元画像を示す移動後試着前アバター用データを生成しユーザー側に送信するための移動後試着前アバター用データ生成送信手段と、
前記仮想空間の中の或る一つの仮想店舗であってユーザーの身体に装着又は近接させて使用する商品を販売・提供する仮想店舗と、その仮想店舗内（仮想店舗の店頭を含む。以下同じ）に存在するユーザーのアバターとをユーザー側に表示させながら、ユーザー側からの前記商品に関する購入検討情報を受信するための購入検討情報受信手段と、
ユーザー側からの前記購入検討情報を受信したとき、前記アバター画像と前記商品の画像とに基づいて、前記アバターが前記商品を試着している試着アバター及びその周辺空間の３次元画像を示す試着アバター用データを生成し、ユーザー側に送信するための試着アバター用データ生成送信手段と、
前記試着アバターに関する情報であって、各ユーザー又はそのアバター毎に、少なくとも前記アバターの仮想空間内の現在位置と前記アバターが現在試着している一つ又は複数の商品に関する商品ＩＤと前記試着商品をそれぞれ提供した仮想店舗に関する仮想店舗ＩＤとを互いに対応付けて記憶しておくための試着状態記憶手段と、
前記の或る仮想店舗Ａが提供している或る商品ａを試着している試着アバターに関して、前記仮想店舗Ａとは異なる「他の仮想店舗」Ｂ内への位置移動情報を受信したとき、前記の受信した位置移動情報に基づいて、前記「他の仮想店舗」Ｂ内に移動した後の試着アバター及びその周辺空間を示す移動後試着アバター用データを３次元的に表示するための移動後試着アバター用データを生成し、ユーザー側に送信するための移動後試着アバター用データ生成送信手段と、
前記の仮想店舗Ａの商品ａを試着したまま「他の仮想店舗」Ｂ内へ移動した試着アバターを前記「他の仮想店舗」Ｂ内に陳列されている商品ｂに近づく位置へ移動させるための位置移動情報を、ユーザー側から受信したとき、前記の受信した位置移動情報と前記試着状態記憶手段から抽出された前記試着済み商品ａに関する仮想店舗ＩＤ及び商品ＩＤとに基づいて、前記試着アバターが前記の仮想店舗Ａの商品ａを試着した状態を維持したまま、前記「他の仮想店舗」Ｂ内において、前記「他の仮想店舗」Ｂが提供・販売する商品ｂについて購入や試着の検討ができるように、前記試着アバターを前記商品ｂに近づく位置へ移動させ、前記試着アバターと、前記試着アバターが試着している仮想店舗Ａの商品ａと、前記陳列されている「他の仮想店舗」Ｂの商品ｂとを、同じ一つの３次元空間の中で、それらが互いに３次元的に近くの位置に配置されるように表示するための他店内試着アバター及びその周辺空間を示す他店内試着アバター用データを生成し、ユーザー側に送信するための他店内試着アバター用データ生成送信手段と、
前記「他の仮想店舗」Ｂ内に存在する他店内試着アバターと、前記他店内試着アバターが試着している前記仮想店舗Ａの商品ａと、前記「他の仮想店舗」Ｂ内の商品ｂとを、同じ一つの３次元空間の中で、それらが互いに３次元的に近くの位置に配置されるようにユーザー側に表示させながら、ユーザー側からの前記商品ｂに関する購入検討情報を受信するための他店内購入検討情報受信手段と、
前記の或る商品ａを既に試着している試着アバターが、前記商品ａを提供してくれた仮想店舗Ａとは異なる「他の仮想店舗」Ｂ内に存在している場合において、前記「他の仮想店舗」Ｂ内に陳列されている商品ｂに関する購入検討情報をユーザー側から受信したとき、前記「他の仮想店舗」Ｂの商品ｂが、前記試着アバターが既に試着している前記仮想店舗Ａの商品ａと同種の商品であるかどうかを判定するための判定手段と、
前記判定手段からの信号に基づいて、前記「他の仮想店舗」Ｂの商品ｂが、既に試着している前記仮想店舗Ａの商品ａと同種の商品であるとき、前記仮想店舗Ａの商品ａに代えて前記「他の仮想店舗」Ｂの商品ｂを新たに切り替え的に試着した状態を示す切替試着アバター及びその周辺空間の３次元画像を示す切替試着アバター用データを生成し、ユーザー側に送信するための切替試着アバター用データ生成送信手段と、
前記判定手段からの信号に基づいて、前記「他の仮想店舗」Ｂの商品ｃが、既に試着している前記仮想店舗Ａの商品ａと同種の商品ではないとき、前記仮想店舗Ａの商品ａに加えて前記「他の仮想店舗」Ｂの商品ｃをも追加的に試着した状態を示す追加試着アバター及びその周辺空間の３次元画像を示す追加試着アバター用データを生成し、ユーザー側に送信するための追加試着アバター用データ生成送信手段と、
を備え、（１）前記試着アバターを、前記の仮想店舗Ａの商品ａを試着した状態を維持したまま、前記の「他の仮想店舗」Ｂ内の商品ｂに近づく位置へ移動させることにより、前記仮想店舗Ａの商品ａと前記「他の仮想店舗」Ｂの商品ｂとを同じ一つの３次元空間の中で互いに３次元的に近くの位置に表示し、これにより、ユーザーが両商品ａ，ｂを互いに３次元的に近くの位置に配置させて見比べながらそれらの購入や試着を検討できるようにし、（２）前記試着アバターが、前記「他の仮想店舗」Ｂ内で、自らが既に試着している前記仮想店舗Ａの商品ａと同じ種類の前記「他の仮想店舗」Ｂの商品ｂを、前記仮想店舗Ａの商品ａに代えて新たに切り替え的に試着することを可能にし、（３）前記試着アバターが、前記「他の仮想店舗」Ｂ内で、自らが既に試着している前記仮想店舗Ａの商品ａとは異なる種類の前記「他の仮想店舗」Ｂの商品ｂ’を、前記仮想店舗Ａの商品ａに追加して試着することを可能にした、ことを特徴とする、アバターの商品試着機能を備えた仮想空間回遊システム。
【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
ユーザー側の通信端末との間でネットワークを介してデータを送受信することにより、それぞれの内部、外部、及び販売・提供する商品が３次元画像で示される複数の仮想店舗を含み、３次元画像で示されるユーザーのアバターが、前記複数の仮想店舗の内外を渡り歩きながら回遊できるような、３次元画像で示される仮想空間を、ユーザー側に提供するための仮想空間回遊システムであって、
ユーザー側からの要求に基づいて、商品を未だ試着していない試着前アバター及びその周辺空間の３次元画像を示す試着前アバター用データを生成しユーザー側に送信するための試着前アバター用データ生成送信手段と、
ユーザー側から、前記試着前アバターの前記仮想空間内（複数の仮想店舗の内部を含む。以下同じ）における位置の移動に関する位置移動情報を受信したとき、前記の受信した位置移動情報に基づいて、前記位置移動情報に対応する位置に移動したときの移動後の試着前アバター及びその周辺空間の３次元画像を示す移動後試着前アバター用データを生成しユーザー側に送信するための移動後試着前アバター用データ生成送信手段と、
前記仮想空間の中の或る一つの仮想店舗であってユーザーの身体に装着又は近接させて使用する商品を販売・提供する仮想店舗と、その仮想店舗内（仮想店舗の店頭を含む。以下同じ）に存在するユーザーのアバターとをユーザー側に表示させながら、ユーザー側からの前記商品に関する購入検討情報を受信するための購入検討情報受信手段と、
ユーザー側からの前記購入検討情報を受信したとき、前記アバター画像と前記商品の画像とに基づいて、前記アバターが前記商品を試着している試着アバター及びその周辺空間の３次元画像を示す試着アバター用データを生成し、ユーザー側に送信するための試着アバター用データ生成送信手段と、
前記試着アバターに関する情報であって、各ユーザー又はそのアバター毎に、少なくとも前記アバターの仮想空間内の現在位置と前記アバターが現在試着している一つ又は複数の商品に関する商品ＩＤと前記試着商品をそれぞれ提供した仮想店舗に関する仮想店舗ＩＤとを互いに対応付けて記憶しておくための試着状態記憶手段と、
前記の或る仮想店舗Ａが提供している或る商品ａを試着している試着アバターに関して、前記仮想店舗Ａとは異なる「他の仮想店舗」Ｂ内への位置移動情報を受信したとき、前記の受信した位置移動情報に基づいて、前記「他の仮想店舗」Ｂ内に移動した後の移動後試着アバター及びその周辺空間を３次元的に表示するための移動後試着アバター用データを生成し、ユーザー側に送信するための移動後試着アバター用データ生成送信手段であって、（ａ）前記の仮想店舗Ａの商品ａを試着したまま「他の仮想店舗」Ｂ内へ移動した移動後試着アバターを前記「他の仮想店舗」Ｂ内に陳列されている商品ｂに近づく位置へ移動させるための位置移動情報を、ユーザー側から受信したとき、前記の受信した位置移動情報と前記試着状態記憶手段から抽出された前記試着済み商品ａに関する仮想店舗ＩＤ及び商品ＩＤとに基づいて、前記移動後試着アバターが前記の仮想店舗Ａの商品ａを試着した状態を維持したまま、前記「他の仮想店舗」Ｂ内において、前記「他の仮想店舗」Ｂが提供・販売する商品ｂについての購入や試着の検討がし易くなるように、前記試着アバターを前記商品ｂに近づく位置へ移動させ、前記移動後試着アバターと、前記移動後試着アバターが試着している仮想店舗Ａの商品ａと、前記陳列されている「他の仮想店舗」Ｂの商品ｂとを、同じ一つの３次元空間の中で、それらが互いに３次元的に近くの位置に配置されるように表示するための、移動後試着アバター及びその周辺空間を３次元的に示す移動後試着アバター用データを生成し、ユーザー側に送信する手段と、（ｂ）前記「他の仮想店舗」Ｂ内に存在する移動後試着アバターと、前記の「他の仮想店舗」Ｂ内に存在する移動後試着アバターが試着している前記仮想店舗Ａの商品ａと、前記「他の仮想店舗」Ｂ内の商品ｂとを、同じ一つの３次元空間の中で、それらが互いに３次元的に近くの位置に配置されるようにユーザー側に表示させながら、ユーザー側からの前記商品ｂに関する購入検討情報を受信する手段と、を含む移動後試着アバター用データ生成送信手段と、
前記の或る商品ａを既に試着している試着アバターが、前記商品ａを提供してくれた仮想店舗Ａとは異なる「他の仮想店舗」Ｂ内に存在している場合において、前記「他の仮想店舗」Ｂ内に陳列されている商品ｂに関する購入検討情報をユーザー側から受信したとき、前記「他の仮想店舗」Ｂの商品ｂが、前記試着アバターが既に試着している前記仮想店舗Ａの商品ａと同種の商品であるかどうかを判定するための判定手段と、
前記判定手段からの信号に基づいて、前記「他の仮想店舗」Ｂの商品ｂが、既に試着している前記仮想店舗Ａの商品ａと同種の商品であるとき、前記仮想店舗Ａの商品ａに代えて前記「他の仮想店舗」Ｂの商品ｂを新たに切り替え的に試着した状態を示す切替試着アバター及びその周辺空間の３次元画像を示す切替試着アバター用データを生成し、ユーザー側に送信するための切替試着アバター用データ生成送信手段と、
前記判定手段からの信号に基づいて、前記「他の仮想店舗」Ｂの商品ｃが、既に試着している前記仮想店舗Ａの商品ａと同種の商品ではないとき、前記仮想店舗Ａの商品ａに加えて前記「他の仮想店舗」Ｂの商品ｃをも追加的に試着した状態を示す追加試着アバター及びその周辺空間の３次元画像を示す追加試着アバター用データを生成し、ユーザー側に送信するための追加試着アバター用データ生成送信手段と、
を備え、
（１）前記の「他の仮想店舗」Ｂ内に存在する移動後試着アバターを、前記の仮想店舗Ａの商品ａを試着した状態を維持したまま、前記の「他の仮想店舗」Ｂ内の商品ｂに近づく位置へ移動させることにより、前記仮想店舗Ａの商品ａと前記「他の仮想店舗」Ｂの商品ｂとを同じ一つの３次元空間の中で互いに３次元的に近くの位置に表示し、これにより、ユーザーが両商品ａ，ｂを互いに３次元的に近くの位置で見比べながらそれらの購入や試着を検討できるようにし、（２）前記「他の仮想店舗」Ｂ内で、前記仮想店舗Ａが提供している試着商品ａと同じ種類の前記「他の仮想店舗」Ｂの商品ｂを、前記仮想店舗Ａの商品ａに代えて新たに切り替え的に試着することを容易にできるようにして、ユーザーが、前記同じ種類の複数の商品ａ，ｂについて、複数の仮想店舗Ａ，Ｂの中のどの仮想店舗の商品が自分に適しているかを、前記試着アバターに複数の仮想店舗Ａ，Ｂ内を渡り歩かせてそれぞれの仮想店舗Ａ，Ｂ内で試着を行わせながら、容易に比較・検討できるようにし、（３）前記の或る仮想店舗Ａから提供された或る種類の商品ａを試着した試着アバターが、「他の仮想店舗」Ｂ内で、「他の仮想店舗」Ｂ内で陳列されている他の種類の商品ｃを、前記既に試着している或る種類の商品ａに追加して試着することを可能にすることにより、ユーザーが、前記互いに異なる複数の種類の商品ａ，ｃについて、前記試着アバターに複数の仮想店舗Ａ，Ｂを渡り歩かせてそれぞれの仮想店舗Ａ，Ｂで試着を行わせながら、複数の仮想店舗Ａ，Ｂでそれぞれ提供している複数の種類の商品ａ，ｃの相互のコーディネートをも検討しつつ比較・検討することを可能にした、ことを特徴とする、アバターの商品試着機能を備えた仮想空間回遊システム。